(57)【要約】  【解決手段】  携帯用照明器具１０、１０'、１０"、１０"'は、一対の対向する延出部または突出部１２０、１２０'、１２０"、１２０"'を上部に有する略矩形の照明器具本体１００、１００'、１００"、１００"'であって、電源３１０、３１０'を内部に受容する略矩形の空洞を有する、照明器具本体１００、１００'、１００"、１００"'と、前記照明器具本体１００、１００'、１００"、１００"'の前記延出部１２０、１２０'、１２０"、１２０"'間で回転自在に支持された略円筒形の照明器具ヘッド２００であって、光を生じさせる光源２３０を含む、照明器具ヘッド２００と、前記光源２３０を選択的に作動させるスイッチ２５０とを有することができる。前記携帯用照明器具１０、１０'、１０"、１０"'は、略角形の電池３１０または複数の円筒形電池３１０'を交換可能に含むことができ、１つまたは複数の前記電池３１０、３１０'は充電式であってよい。  【選択図】      図９
2013535794.tif 000002
【特許請求の範囲】
【請求項１】
携帯用照明器具であって、
互いに対向し、離間された一対の延出部を有する略矩形の照明器具本体であって、電源を内部に受容する略矩形の空洞を有するものである、前記照明器具本体と、
前記照明器具本体に隣接し、当該照明器具本体の前記延出部間で回転自在に支持された略円筒形の照明器具ヘッドであって、光を生じさせる光源を含むものである、前記照明器具ヘッドと、
前記光源を選択的に作動させるスイッチと
を有する携帯用照明器具。
【請求項２】
請求項１記載の携帯用照明器具において、前記略円筒形の照明器具ヘッドは、
前記照明器具本体の端部に隣接して、または
前記照明器具本体の広い表面に隣接して、または
前記照明器具本体の広い表面に隣接して当該照明器具本体の端部付近に
設置されるものである、携帯用照明器具。
【請求項３】
請求項１記載の携帯用照明器具において、
前記略円筒形の照明器具ヘッドは、その軸を中心として回転自在であり、または
前記略円筒形の照明器具ヘッドは、その端部に、当該略円筒形の照明器具ヘッドをその軸を中心として回転させるノブを含み、または
前記略円筒形の照明器具ヘッドは、その軸を中心として回転自在であり、かつその端部に、当該略円筒形の照明器具ヘッドをその軸を中心として回転させるノブを含むものである
携帯用照明器具。
【請求項４】
請求項１記載の携帯用照明器具において、前記円筒形の照明器具ヘッドは、３６０°未満回転自在であり、または３６０°を超えて回転自在である携帯用照明器具。
【請求項５】
請求項１記載の携帯用照明器具において、前記略円筒形の照明器具ヘッドは、少なくとも１つの円形の電気接点を含み、前記照明器具本体は、前記略円筒形の照明器具ヘッドの前記円形の電気接点に隣接する少なくとも１つの固定された電気接点を含み、当該電気接点の間に少なくとも１つの電気スリップリング接続部が提供されるものである携帯用照明器具。
【請求項６】
請求項１記載の携帯用照明器具において、前記略円筒形の照明器具ヘッドは、円筒形部材と、当該円筒形部材に沿ってスライド自在な湾曲したレンズとを含むものである携帯用照明器具。
【請求項７】
請求項６記載の携帯用照明器具において、前記湾曲したレンズは、１若しくはそれ以上のスライド自在な湾曲したレンズを含み、当該スライド自在な湾曲したレンズの各々は、前記円筒形部材より短く、他のスライド自在な湾曲したレンズとは異なる光学特性を有するものである携帯用照明器具。
【請求項８】
請求項６記載の携帯用照明器具において、前記湾曲したレンズは、
前記円筒形部材に隣接して閉じ込められ、あるいは
１若しくはそれ以上のカラーフィルター、偏光フィルター、および／または拡散フィルターを含み、あるいは
１若しくはそれ以上のカラーフィルター、偏光フィルター、および／または拡散フィルターを含み、かつ前記円筒形部材に隣接して閉じ込められるものである
携帯用照明器具。
【請求項９】
請求項１記載の携帯用照明器具において、前記略円筒形の照明器具ヘッドは、その内部に、凹部を有する円筒形部材を含み、前記光源は、前記円筒形部材の前記凹部内に発光ダイオードを含むものである携帯用照明器具。
【請求項１０】
請求項９記載の携帯用照明器具において、さらに、
前記円筒形部材の前記凹部内の前記発光ダイオードより前方にある反射体、または
前記円筒形部材の前記凹部内の前記発光ダイオードより前方にあるレンズ、または
前記円筒形部材の前記凹部内の前記発光ダイオードより前方にある反射体およびレンズ
を有するものである携帯用照明器具。
【請求項１１】
請求項１記載の携帯用照明器具において、前記略円筒形の照明器具ヘッドは、円筒形部材を含み、当該円筒形部材は、熱伝導性金属または熱伝導性非金属を有するものである携帯用照明器具。
【請求項１２】
請求項１記載の携帯用照明器具において、前記スイッチは、
前記略円筒形の照明器具ヘッドの端部において、または
前記略円筒形の照明器具ヘッドの端部のノブにおいて、または
前記略円筒形の照明器具ヘッドの、ノブを有する端部において、または
前記略円筒形の照明器具ヘッドの、ノブを有する端部の反対側の端部において、または
前記略矩形の照明器具本体上で、または
前記略矩形の照明器具本体の縁部で、または
上記のうち任意の２つにおいて
作動可能である携帯用照明器具。
【請求項１３】
請求項１記載の携帯用照明器具において、前記スイッチは、前記照明器具本体内の電子回路基板上に設けられた電気スイッチを含み、前記照明器具本体上のスイッチアクチュエータにより作動可能である携帯用照明器具。
【請求項１４】
請求項１記載の携帯用照明器具において、さらに、電源を有し、当該電源は、
前記略矩形の照明器具本体の前記略矩形の空洞内の略矩形の電源、または
前記略矩形の照明器具本体の前記略矩形の空洞内に複数の円筒形電源を並列配置で含む電源、または
前記略矩形の照明器具本体の前記略矩形の空洞内で交換可能な略矩形の電源および複数の円筒形電源
を含むものである携帯用照明器具。
【請求項１５】
請求項１記載の携帯用照明器具において、さらに、前記照明器具本体の前記空洞内に充電池を有し、当該携帯用照明器具は、さらに、
前記照明器具本体上に配置され、前記充電池に電気的に連結された、前記充電池を充電する充電コネクタ、または
前記照明器具本体上に配置され、前記充電池に電気的に連結された、前記充電池を充電するＵＳＢ互換充電コネクタ
を含むものである携帯用照明器具。
【請求項１６】
請求項１記載の携帯用照明器具において、さらに、
前記スイッチに応答して前記光源の動作を制御する電子回路を含む電子回路基板を有するものである携帯用照明器具。
【請求項１７】
請求項１６記載の携帯用照明器具において、前記電子回路基板は、
電源が前記照明器具本体内にある場合、電源に電気接続するコネクタ、または
前記電源が前記照明器具本体内の前記空洞内にある場合、外部電源に電気接続して前記電源を充電するコネクタ、または
電源が前記照明器具本体内にある場合、電源に電気接続する第１のコネクタ、および前記電源が前記照明器具本体内の前記空洞内にある場合、外部電源に電気接続して前記電源を充電する第２のコネクタ
を含むものである携帯用照明器具。
【請求項１８】
請求項１６記載の携帯用照明器具において、前記電子回路基板は、電源が照明器具本体の前記空洞内に配置されている場合、前記電源に隣接して設けられるものである携帯用照明器具。
【請求項１９】
請求項１６記載の携帯用照明器具において、前記スイッチは、前記略矩形の照明器具本体上のスイッチアクチュエータと、前記電子回路基板上にあって前記スイッチアクチュエータにより作動可能な電気スイッチとを有するものである携帯用照明器具。
【請求項２０】
請求項１記載の携帯用照明器具において、前記照明器具本体は、取り付け装置を上部に受容する形状を有し、当該携帯用照明器具は、さらに、当該携帯用照明器具を人および／または対象物に取り付ける取り付け装置を有するものである携帯用照明器具。
【請求項２１】
請求項１８記載の携帯用照明器具において、前記取り付け装置は、バンド、ストラップ、クリップ、スリップオン式クリップ、スナップオン式クリップ、フック・アンド・ループ・ファスナー、またはファスナーを有するものである携帯用照明器具。
【請求項２２】
携帯用照明器具であって、
互いに対向し、離間された一対の延出部を有する略矩形の照明器具本体であって、電池を内部に受容する略矩形の空洞を有するものである、前記照明器具本体と、
前記照明器具本体に隣接し、当該照明器具本体の前記延出部間で回転自在に支持された略円筒形の照明器具ヘッドと、
前記略円筒形の照明器具ヘッド内の、光を生じさせる光源と、
前記略円筒形の照明器具ヘッドを回転させるノブであって、前記略円筒形の照明器具ヘッドは、前記光源により生じた光が透過する少なくとも１つのレンズを含むものである、前記ノブと、
前記光源を選択的に作動させて光を生じさせるスイッチと、
前記略矩形の照明器具本体の前記空洞内の略角形の電池であって、前記スイッチに応答して前記光源に選択的に供電する略角形の電池と
を有する携帯用照明器具。
【請求項２３】
請求項２２記載の携帯用照明器具において、前記略円筒形の照明器具ヘッドは、
前記照明器具本体の端部に隣接して、または
前記照明器具本体の広い表面に隣接して、または
前記照明器具本体の広い表面に隣接して当該照明器具本体の端部付近に
設置されるものである、携帯用照明器具。
【請求項２４】
請求項２２記載の携帯用照明器具において、前記略円筒形の照明器具ヘッドは、３６０°を超えて回転自在であり、
前記略円筒形の照明器具ヘッドは、少なくとも１つの円形の電気接点を含み、
前記照明器具本体は、前記略円筒形の照明器具ヘッドの前記円形の電気接点に隣接する少なくとも１つの固定された電気接点を含み、当該電気接点の間に少なくとも１つの電気スリップリング接続部が提供されるものである
携帯用照明器具。
【請求項２５】
請求項２２記載の携帯用照明器具において、前記略円筒形の照明器具ヘッドは、円筒形部材と、当該円筒形部材に沿ってスライド自在であり、かつ当該円筒形部材に隣接して閉じ込められる湾曲したレンズとを含むものである携帯用照明器具。
【請求項２６】
請求項２５記載の携帯用照明器具において、前記湾曲したレンズは、１若しくはそれ以上のスライド自在な湾曲したレンズを含み、当該スライド自在な湾曲したレンズの各々は、前記円筒形部材より短く、他のスライド自在な湾曲したレンズとは異なる光学特性を有するものである携帯用照明器具。
【請求項２７】
請求項２５記載の携帯用照明器具において、前記湾曲したレンズは、１若しくはそれ以上のカラーフィルター、偏光フィルター、および／または拡散フィルターを含むものである携帯用照明器具。
【請求項２８】
請求項２２記載の携帯用照明器具において、さらに前記照明器具本体の前記空洞内に充電池を有し、当該携帯用照明器具は、さらに、
前記照明器具本体上に配置され、前記充電池に電気的に連結された、前記充電池を充電する充電コネクタ、または
前記照明器具本体上に配置され、前記充電池に電気的に連結された、前記充電池を充電するＵＳＢ互換充電コネクタ
を含むものである携帯用照明器具。
【請求項２９】
請求項２２記載の携帯用照明器具において、前記スイッチは、前記略矩形の照明器具本体上のスイッチアクチュエータと、前記照明器具本体内の電子回路基板上にあって前記スイッチアクチュエータにより作動可能な電気スイッチとを有するものである携帯用照明器具。
【請求項３０】
請求項２２記載の携帯用照明器具において、前記照明器具本体は、取り付け装置を上部に受容する形状を有し、当該携帯用照明器具は、さらに、当該携帯用照明器具を人および／または対象物に取り付ける取り付け装置を有するものである携帯用照明器具。
【請求項３１】
請求項３０記載の携帯用照明器具において、前記取り付け装置は、バンド、ストラップ、クリップ、スリップオン式クリップ、スナップオン式クリップ、フック・アンド・ループ・ファスナー、またはファスナーを有するものである携帯用照明器具。
【請求項３２】
携帯用照明器具であって、
互いに対向し、離間された一対の突出部を有する略矩形の照明器具本体であって、電源を内部に受容する略矩形の空洞を有するものである、前記照明器具本体と、
前記照明器具本体に隣接し、当該照明器具本体の前記突出部間で回転自在に支持された略円筒形の照明器具ヘッドであって、光を生じさせる光源を含むものである、前記照明器具ヘッドと、
前記光源を選択的に作動させるスイッチと、
前記略矩形の照明器具本体内で電気接点を提供する複数の導電体であって、前記電気接点は、略角形の電池または複数の円筒形電池を交換可能に受容するように構成されるものである、前記複数の導電体と、
前記照明器具本体の前記略矩形の空洞内の電源であって、前記電気接点に接続する端子を有する略角形の電池と、前記電気接点に接続する端子を有する複数の円筒形電池とを交換可能に含むものである、前記電源と
を有する携帯用照明器具。
【請求項３３】
請求項３２記載の携帯用照明器具において、前記略円筒形の照明器具ヘッドは、
前記照明器具本体の端部に隣接して、または
前記照明器具本体の広い表面に隣接して、または
前記照明器具本体の広い表面に隣接して当該照明器具本体の端部付近に
設置されるものである、携帯用照明器具。
【請求項３４】
請求項３２記載の携帯用照明器具において、前記略円筒形の照明器具ヘッドは、３６０°を超えて回転自在であり、
前記略円筒形の照明器具ヘッドは、少なくとも１つの円形の電気接点を含み、
前記照明器具本体は、前記略円筒形の照明器具ヘッドの前記円形の電気接点に隣接する少なくとも１つの固定された電気接点を含み、当該電気接点との間に少なくとも１つの電気スリップリング接続部が提供されるものである
携帯用照明器具。
【請求項３５】
請求項３２記載の携帯用照明器具において、前記略円筒形の照明器具ヘッドは、円筒形部材と、当該円筒形部材に沿ってスライド自在であり、当該円筒形部材に隣接して閉じ込められる湾曲したレンズとを含むものである携帯用照明器具。
【請求項３６】
請求項３５記載の携帯用照明器具において、前記湾曲したレンズは、１若しくはそれ以上のスライド自在な湾曲したレンズを含み、当該スライド自在な湾曲したレンズの各々は、前記円筒形部材より短く、他のスライド自在な湾曲したレンズとは異なる光学特性を有するものである携帯用照明器具。
【請求項３７】
請求項３５記載の携帯用照明器具において、前記湾曲したレンズは、１若しくはそれ以上のカラーフィルター、偏光フィルター、および／または拡散フィルターを含むものである携帯用照明器具。
【請求項３８】
請求項３２記載の携帯用照明器具において、前記電源は充電池を含み、当該携帯用照明器具は、さらに、
前記照明器具本体上に配置され、前記充電池に電気的に連結された、前記充電池を充電する充電コネクタ、または
前記照明器具本体上に配置され、前記充電池に電気的に連結された、前記充電池を充電するＵＳＢ互換充電コネクタ
を含むものである。
【請求項３９】
請求項３２記載の携帯用照明器具において、前記スイッチは、前記略矩形の照明器具本体上のスイッチアクチュエータと、前記照明器具本体内の電子回路基板上にあって前記スイッチアクチュエータにより作動可能な電気スイッチとを有するものである携帯用照明器具。
【請求項４０】
請求項３２記載の携帯用照明器具において、前記照明器具本体は、取り付け装置を上部に受容する形状を有し、当該携帯用照明器具は、さらに、当該携帯用照明器具を人および／または対象物に取り付ける取り付け装置を有するものである携帯用照明器具。
【請求項４１】
請求項４０記載の携帯用照明器具において、前記取り付け装置は、バンド、ストラップ、クリップ、スリップオン式クリップ、スナップオン式クリップ、フック・アンド・ループ・ファスナー、またはファスナーを有するものである携帯用照明器具。
【発明の詳細な説明】
【技術分野】
【０００１】
本願は、２０１０年８月３日付で出願された米国特許出願第２９／３６７，０９９号の継続出願である２０１１年８月１日付で出願された米国特許出願第１３／１９５，３０６号、ならびに２０１１年２月２８日付で出願された米国仮特許出願第６１／４４７，２７９号の優先権を主張するものであり、この参照によりこれら各々の全体が本明細書に組み込まれ、本願は、本明細書において前記出願の各々に基づく利益および優先権を主張するものである。
【０００２】
本発明は携帯用照明器具に関し、特に回転自在なヘッドを有する携帯用照明器具に関する。
【背景技術】
【０００３】
携帯用照明器具、例えば懐中電灯は、通常、円筒形の化学電池、例えば単３形乾電池、単４形乾電池、単２形乾電池、単１形乾電池、ＣＲ１２３リチウム充電池などにより、当該電池の化学的特性、例えば炭素、亜鉛、アルカリ、Ｎｉ−Ｃｄ、ＮｉＭＨ、またはリチウムイオンに関係なく、供電される。その結果、懐中電灯は、一般に円筒形の電池を収容するため円筒形状または別の形状を有する。
【０００４】
一部の照明装置では角形電池を使用しているが、これら角形電池の多くは円筒形のセル電池を含むため、その容積を効率的に使用していない可能性がある。一般に入手できる９Ｖ形９ボルト角形アルカリ乾電池は、直列に接続された６つの円筒形電池を含む電池の一例である。
【０００５】
電池には、単回使用（非充電式）のもの、例えば炭素亜鉛およびアルカリセル電池と、充電式のもの、例えばＮｉ−Ｃｄ、ＮｉＭＨ、およびＬｉイオン電池とがある。充電池を使用する照明器具には、再充電装置に接続する外部接点が必要であるため、比較的小型の照明器具は、傾向として充電式照明器具ではない。
【０００６】
一部の携帯用照明器具には、把持したり、表面上に配置しなければならないものもあるが、例えばクリップまたはストラップで対象物に取り付け可能なものもある。一部の携帯用照明器具は、当該照明器具の本体と相対的に動かすことのできる光源を有するため、生成された光線を望ましい方向へ向けることができるが、それらの大半または多くは、可動光源の提供に必要な蝶着（ヒンジ式）接合部を伴うことが少なくとも１つの原因で、比較的大型になってしまっている。小型で光線の方向付けが自在な照明器具は少ない。さらに、充電可能で小型かつ光線が方向付かが自在なものはより少ない。
【発明の概要】
【発明が解決しようとする課題】
【０００７】
そのため、本出願人は、小型で光線の方向付けが自在な携帯用照明器具が必要とされている可能性があると考えている。また、そのような照明器具は充電式であることも望ましい。  
【課題を解決するための手段】
【０００８】
適宜、携帯用照明器具は、一対の延出部を有する略矩形の照明器具本体であって、電池を受容する略矩形の空洞を有するものである、前記照明器具本体と、前記照明器具本体に隣接し、当該照明器具本体の前記延出部間で回転自在に支持された略円筒形の照明器具ヘッドであって、光を生じさせる光源を含むものである、前記照明器具ヘッドと、前記光源を選択的に作動させるスイッチとを有することができる。
【０００９】
別の態様によれば、携帯用照明器具は、離間された一対の延出部を有する略矩形の照明器具本体であって、電池を受容する略矩形の空洞を有するものである、前記照明器具本体と、前記照明器具本体に隣接し、当該照明器具本体の前記延出部間で回転自在に支持された略円筒形の照明器具ヘッドと、前記略円筒形の照明器具ヘッド内の、光を生じさせる光源と、前記略円筒形の照明器具ヘッドを回転させるノブであって、前記略円筒形の照明器具ヘッドは、前記光源により生じた光が透過する少なくとも１つのレンズを含むものである、前記ノブと、前記光源を選択的に作動させて光を生じさせるスイッチと、前記略矩形の照明器具本体の前記空洞内の略角形の電池であって、前記スイッチに応答して前記光源に選択的に供電する略角形の電池とを有することができる。
【００１０】
さらに別の態様によれば、携帯用照明器具は、互いに対向し、離間された一対の突出部を有する略矩形の照明器具本体であって、電源を内部に受容する略矩形の空洞を有するものである、前記照明器具本体と、前記照明器具本体に隣接し、当該照明器具本体の前記突出部間で回転自在に支持された略円筒形の照明器具ヘッドであって、光を生じさせる光源を含むものである、前記照明器具ヘッドと、前記光源を選択的に作動させるスイッチと、前記略矩形の照明器具本体内で電気接点を提供する複数の導電体であって、前記電気接点は、略角形の電池または複数の円筒形電池を交換可能に受容するように構成されるものである、前記複数の導電体と、前記照明器具本体の前記略矩形の空洞内の電源であって、前記電気接点に接続する端子を有する略角形の電池と、前記電気接点に接続する端子を有する複数の円筒形電池とを交換可能に含むものである、前記電源とを有することができる。
【図面の簡単な説明】
【００１１】
好適な実施形態に関する詳細な説明は、以下の図面を参照して読むことにより、より容易に理解を深めることができるであろう。
【図１】図１は、照明器具の一実施形態例の斜視図である。
【図２Ａ】図２Ａ、２Ｂ、２Ｃは、図１の照明器具例の側面、縁部、および端部の図であり、図２Ｄは、図１の照明器具例の斜視図である。
【図２Ｂ】図２Ａ、２Ｂ、２Ｃは、図１の照明器具例の側面、縁部、および端部の図であり、図２Ｄは、図１の照明器具例の斜視図である。
【図２Ｃ】図２Ａ、２Ｂ、２Ｃは、図１の照明器具例の側面、縁部、および端部の図であり、図２Ｄは、図１の照明器具例の斜視図である。
【図２Ｄ】図２Ａ、２Ｂ、２Ｃは、図１の照明器具例の側面、縁部、および端部の図であり、図２Ｄは、図１の照明器具例の斜視図である。
【図３】図３は、照明器具の別の一実施形態例の斜視図である。
【図４Ａ】図４Ａ、４Ｂ、４Ｃは、図３の照明器具例の底面、上面、および端部の図であり、図４Ｄは、図３の照明器具例の斜視図である。
【図４Ｂ】図４Ａ、４Ｂ、４Ｃは、図３の照明器具例の底面、上面、および端部の図であり、図４Ｄは、図３の照明器具例の斜視図である。
【図４Ｃ】図４Ａ、４Ｂ、４Ｃは、図３の照明器具例の底面、上面、および端部の図であり、図４Ｄは、図３の照明器具例の斜視図である。
【図４Ｄ】図４Ａ、４Ｂ、４Ｃは、図３の照明器具例の底面、上面、および端部の図であり、図４Ｄは、図３の照明器具例の斜視図である。
【図５】図５は、照明器具のさらに別の一実施形態例の斜視図である。
【図６Ａ】図６Ａ、６Ｂ、６Ｃは、それぞれ図５の照明器具例の上面、底面、および端部の図である。
【図６Ｂ】図６Ａ、６Ｂ、６Ｃは、それぞれ図５の照明器具例の上面、底面、および端部の図である。
【図６Ｃ】図６Ａ、６Ｂ、６Ｃは、それぞれ図５の照明器具例の上面、底面、および端部の図である。
【図７】図７は、前記照明器具例の底面図であり、図７Ａおよび７Ｂは、それぞれ前記照明器具の前記照明器具ヘッドを横切る断面図、ならびに前記照明器具の前記照明器具ヘッドの長手方向の断面図であり、図７Ｃは、種々の取り付け装置を例示した図である。
【図７Ａ】図７は、前記照明器具例の底面図であり、図７Ａおよび７Ｂは、それぞれ前記照明器具の前記照明器具ヘッドを横切る断面図、ならびに前記照明器具の前記照明器具ヘッドの長手方向の断面図であり、図７Ｃは、種々の取り付け装置を例示した図である。
【図７Ｂ】図７は、前記照明器具例の底面図であり、図７Ａおよび７Ｂは、それぞれ前記照明器具の前記照明器具ヘッドを横切る断面図、ならびに前記照明器具の前記照明器具ヘッドの長手方向の断面図であり、図７Ｃは、種々の取り付け装置を例示した図である。
【図７Ｃ】図７は、前記照明器具例の底面図であり、図７Ａおよび７Ｂは、それぞれ前記照明器具の前記照明器具ヘッドを横切る断面図、ならびに前記照明器具の前記照明器具ヘッドの長手方向の断面図であり、図７Ｃは、種々の取り付け装置を例示した図である。
【図８】図８は、図３の照明器具例と同様な照明器具例の斜視図であり、図８Ａは、図８の照明器具例でハウジング基部を取り外した状態の斜視図であり、図８Ｂは、図８および図８Ａの照明器具例を裏返し、前記ハウジング基部、ハウジングカバー、および照明器具ヘッドを取り外した状態の斜視図である。
【図８Ａ】図８は、図３の照明器具例と同様な照明器具例の斜視図であり、図８Ａは、図８の照明器具例でハウジング基部を取り外した状態の斜視図であり、図８Ｂは、図８および図８Ａの照明器具例を裏返し、前記ハウジング基部、ハウジングカバー、および照明器具ヘッドを取り外した状態の斜視図である。
【図８Ｂ】図８は、図３の照明器具例と同様な照明器具例の斜視図であり、図８Ａは、図８の照明器具例でハウジング基部を取り外した状態の斜視図であり、図８Ｂは、図８および図８Ａの照明器具例を裏返し、前記ハウジング基部、ハウジングカバー、および照明器具ヘッドを取り外した状態の斜視図である。
【図９】図９は、図４の前記照明器具の例と同様な照明器具の一例の斜視図であり、図９Ａはその照明器具の前記ハウジング部分を取り外した状態の斜視図であり、図９Ｂはその照明器具の前記ハウジング部分およびレンズ要素を取り外した状態の斜視図である。
【図９Ａ】図９は、図４の前記照明器具の例と同様な照明器具の一例の斜視図であり、図９Ａはその照明器具の前記ハウジング部分を取り外した状態の斜視図であり、図９Ｂはその照明器具の前記ハウジング部分およびレンズ要素を取り外した状態の斜視図である。
【図９Ｂ】図９は、図４の前記照明器具の例と同様な照明器具の一例の斜視図であり、図９Ａはその照明器具の前記ハウジング部分を取り外した状態の斜視図であり、図９Ｂはその照明器具の前記ハウジング部分およびレンズ要素を取り外した状態の斜視図である。
【００１２】
以上の図面では、同一の要素または特徴が複数の図に示されている場合、それらの要素に同じ参照符号を使用しており、関連性の高い若しくは修正された要素または特徴が複数の図に示されている場合は、それらの要素に同じ参照符号を使用し、あるいは「ａ」または「ｂ」などを付加している場合がある。同様に、互いに同様な要素または特徴は、異なる図中で同様な参照符号で示し、本明細書中で同様な用語で示している場合がある。一般的な慣行に基づき、図面における種々の特徴は縮尺どおりではなく、種々の特徴の寸法は明瞭性のため適宜拡大または縮小されている場合があり、いずれの図で記載しているいずれの値も例示目的でのみ示している。
【発明を実施するための形態】
【００１３】
本明細書で説明する携帯用照明器具は、その好適な実施形態において、方向付けが自在な光線を提供する小型で矩形の充電式照明器具である。この携帯用照明器具は、使用時に把持、表面上に配置、または例えばクリップおよびファスナーで柔軟な取り付けオプションを提供することにより対象物に取り付ける上で適している。当該携帯用照明器具は、交換可能な電池を有することができ、永続的に密閉して使い捨てにすることもできる。この携帯用照明器具は、警察、軍事、政府、産業、検査、レクリエーション、スポーツ、屋外活動、および消費者に対する用途を含む（これらに限定されるものではない）、専門用途および日常用途双方で、多種多様な状況で有用かつ利便性が高いと考えられる。
【００１４】
図１は、照明器具１０の一実施形態例の斜視図であり、図２Ａ、２Ｂ、２Ｃは、その側面、縁部、端部の図であり、図２Ｄは、その斜視図である。照明器具１０は、略矩形の照明器具本体１００、ならびに当該本体上、例えば照明器具本体１００の端部上の照明器具ヘッド２００を含む。照明器具本体１００はハウジング１１０を含み、ハウジング１１０は、本体ハウジング基部１１２およびそのカバー１１４を含む。照明器具本体１００の内部は、照明器具１０に供電する電池を受容する空洞になっており、その電池は、略角形の形状を有する電池、例えば携帯電話または同様な携帯用電子装置に利用されるタイプの電池、または略矩形の電池用空洞内に嵌合する電池であることが好ましい。ハウジング１１０は、一対の対向する延出部または突出部１２０を有し、この延出部または突出部１２０はハウジング１１０の一端から延出して、当該延出部または突出部１２０間で略円筒形の照明器具ヘッド２００を受容する。照明器具ヘッド２００は、その長手方向の軸を中心に、例えば１８０°またはそれより大きい若しくは小さい角度にわたり回転できることが好ましく、照明器具ヘッド２００を便利に回転させるため、１つまたは複数のノブ２２０を設けることができる。
【００１５】
照明器具ヘッド２００は略円筒形で、略円筒形部材２１０を含み、この略円筒形部材２１０は、通常円錐形または他の適切な形状の凹部２１２である反射体２１６を内部に有する。光源２３０は、発光ダイオード（ＬＥＤ）２３０であることが好ましく、反射体２１６内に位置し、レンズ２１４で覆われる。凹部２１２とその内部のレンズ２１４は円錐形であることが好ましいが、光源２３０により生じさせる光を形成する望ましい他の形状を使用することもできる。円筒形部材２１０は、光源２３０により生じた熱を取り除くヒートシンクとして機能する適切な熱伝導材料、例えば通常アルミニウムであることが好ましい。
【００１６】
任意選択で、照明器具ヘッド２００には、円筒形部材２１０上でスライド自在な１若しくはそれ以上の管状の円筒形レンズ２４０またはフィルター２４０をさらに含めることができる。管状のレンズ２４０は、円筒形部材２１０より実質的に短く、かつ円筒形部材２１０の表面において少なくとも凹部２１２の直径と同じ長さであることが好ましく、これによりレンズ２１４をカバーする位置へ軸方向にスライド自在となる。その結果、光源２３０により発せられる光のうちレンズ２１４を通過するものは、レンズ２１４をカバーする位置にレンズ２４０をスライドさせると、レンズ２４０も通過する。中央のレンズ２１４は透明であることがことが好ましく、レンズ２４０は、２つの光学的に異なるレンズを提供する２つの別個のスライド自在な管状レンズ２４０ａおよび２４０ｂを含むことが好ましい。１つまたは複数の管状レンズ２４０、２４０ａ、２４０ｂは部材２１０上にあるため、また部材２１０は照明器具本体１００の延出部１２０間に保持されるため、レンズ２４０、２４０ａ、２４０ｂは部材２１０上に保持され、紛失することはない。
【００１７】
各スライド自在な管状レンズ２４０、２４０ａ、２４０ｂは、円筒形部材２１０より短く、他のスライド自在な管状レンズ２４０、２４０ａ、２４０ｂとは別の光学特性を有し、例えば選択可能なレンズ条件を提供する。例えば、レンズ２４０ａは１つの色、例えば赤色のレンズ、レンズ２４０ｂは異なる色、例えば緑色のレンズ、および／またはレンズ２４０ａ、２４０ｂは、光を偏光または拡散させることができる。円筒形部材２１０および１つまたは複数のレンズ２４０ａ、２４０ｂの一方にあるリッジまたは別の突出部と、部材２１０および１つまたは複数のレンズ２４０ａ、２４０ｂの他方にある陥凹または凹部を組み合わせて係合させると、レンズ２１４の上からその中央に位置合わせした位置または部材２１０の端部に近接した格納位置にレンズ２４０ａ、２４０ｂを保持することができる。
【００１８】
スイッチ２５０は、照明器具１０の動作を制御するため照明器具本体１００上に設けられる。スイッチ２５０は、１若しくはそれ以上の回数、例えばシーケンスおよび／または特定のタイミングで作動させて照明器具１０の異なる動作モード、例えばオン、オフ、一時的なオン、点滅（ｂｌｉｎｋｉｎｇ）、点滅（ｆｌａｓｈｉｎｇ）、ストロボ、光を強める、光を弱める、「ムーンライト」（ｍｏｏｎｌｉｇｈｔ）、および／または微光レベルモードを選択することが可能な押しボタンスイッチであることが好ましい。
【００１９】
照明器具１０が充電式であること、例えばその内部の電池が充電式であることが望ましい場合は、ハウジング１１０に充電コネクタ１３０を内設できる。好適な一実施形態において、コネクタ１３０は、電池の再充電電源にできるＵＳＢポート、例えばコンピュータのＵＳＢポートまたは他の電源に接続するケーブルを受容する小型のコネクタまたはポート、例えばミニＵＳＢコネクタである。適切なＵＳＢコネクタおよびＵＳＢケーブルは、コンピュータに画像ファイルを転送するためデジタルカメラを前記コンピュータのＵＳＢポートに接続する際、一般に使用されるものであってよい。照明器具を再充電するための適切な電源としては、コンピュータのＵＳＢポート、１２ボルトコンセント、例えば自動車で一般に見られるもの、またはアダプタ、例えば中国Ｄｏｋｏｃｏｍ製のＺＴＥタイプのアダプタ、１１０〜２４０ボルトＡＣコンセントなどがある。コネクタ１３０には、水分および破片に対するシール（密閉部）を提供するキャップまたはプラグを設けることができ、例えばネジ式キャップまたはプラグ、あるいはスナップイン式キャップまたはプラグまたは他のシールを使用できる。そのようなプラグまたはキャップは、任意選択で、ランヤードまたは他の柔軟な部分により照明器具１０に固定できる。
【００２０】
図２Ｄの照明器具１０において、各前記対向して離間された延出部または突出部１２０の内側端部は、湾曲したカバー１２０ｃを含み、このカバー１２０ｃは前記光源ＬＥＤ  ２３０へ向かって延長し、レンズ２４０ａおよび２４０ｂを部分的に覆ってレンズ２４０ａおよび２４０ｂを保護し、また当該レンズの美観を保つ。それ以外の場合、照明器具１０は説明したとおりである。レンズ２４０ａおよび２４０ｂの内側端部は、カバー１２０ｃの端部を越えて露出し、それぞれ、円筒形の照明器具ヘッド２００、２１０から径方向に離れる方向に延出して露出したリッジまたはタブ２４２ａ、２４２ｂを含むことが好ましく、これにより円筒形部材２１０上でレンズ２４０ａおよび２４０ｂをスライドさせて光源２３０を覆う位置へレンズ２４０ａおよび２４０ｂを動かしやすくなる。レンズ２４０ａおよび２４０ｂは管状であるか、または少なくとも管の一部を備え、円筒形部材２１０を取り囲むことが好ましいため、円筒形部材２１０上でスライド自在であり、円筒形部材２１０はレンズ２４０ａおよび２４０ｂ内で回転自在である。そのため、例えばノブ２２０を使った円筒形部材２１０の回転は、レンズ２４０ａおよび２４０ｂに制限されず、レンズ２４０ａおよび２４０ｂは、単にその内部で部材２１０が必要に応じて望ましい回転位置へ回転できるようにする。
【００２１】
スイッチ２５０は、光源２３０の動作を制御するため、ハウジング１１０の正面または別の便利な位置に設けることができる。あるいは、照明器具本体１００'内の電気スイッチを作動させて光源２３０の動作を選択的に制御するため、一段高い矩形スイッチアクチュエータ２５０をハウジング１１０の正面に配置することができる。一段高い三角形の形状１４１は、バンド、クリップ、または他の固定装置を照明器具１０に取り付けるためのガイドとして、ハウジング１１２の正面に設けることができる。
【００２２】
図３は、照明器具１０'の別の実施形態例の斜視図であり、図４Ａ、４Ｂ、４Ｃは、その底面、上面、および端部の図であり、図４Ｄは、その斜視図である。照明器具１０'は、略矩形の照明器具本体１００'、ならびに当該本体上、例えば照明器具本体１００'の広い表面上の照明器具ヘッド２００を含む。照明器具本体１００は略矩形のハウジング１１０'を含み、このハウジング１１０'は、本体ハウジング基部１１２'およびそのカバー１１４'を含む。照明器具本体１００'の内部は、照明器具１０'に供電する電池を受容する略矩形の空洞になっており、その電池は、略矩形の形状を有する電池、例えば携帯電話または同様な携帯用電子装置に利用されるタイプの電池、または前記空洞内に嵌合する１つまたは複数の別の電池であることが好ましい。ハウジング１１０'は、一対の対向する延出部または突出部１２０'を有し、この延出部または突出部１２０'はハウジング１１０'の広い表面から延出し、当該延出部または突出部１２０'間で略円筒形の照明器具ヘッド２００を受容する。照明器具ヘッド２００は、その長手方向の軸を中心に回転できることが好ましく、照明器具ヘッド２００を便利に回転させるため、１つのノブ２２０または任意選択的に複数のノブ２２０を設けることができる。
【００２３】
照明器具ヘッド２００は略円筒形で、略円筒形部材２１０を含み、この略円筒形部材２１０は、通常円錐形または他の適切な形状の凹部２１２である反射体２１６を内部に有し、あるいは反射性挿入部材２１６を内部に有する。光源２３０は、発光ダイオード（ＬＥＤ）２３０であることが好ましく、反射体２１６内に位置し、ＬＥＤ  ２３０の前にあるレンズ２１４で覆われる。照明器具２００は本明細書で説明するとおりである。
【００２４】
任意選択で、照明器具ヘッド２００には、本明細書で説明したように、円筒形部材２１０上でスライド自在な１若しくはそれ以上の管状の円筒形レンズ２４０またはフィルター２４０、２４０ａ、２４０ｂをさらに含めることができる。照明器具１０'が充電式であること、例えばその内部の電池が充電式であることが望ましい場合は、任意選択的なキャップまたはプラグを伴う若しくは伴わないハウジング１１０'に充電コネクタ１３０を内設でき、これらはすべて本明細書で説明したとおりである。
【００２５】
任意選択で、照明器具１０'は、対象、例えば人、身体部分、ヘッドウェア（頭に着用するもの）、衣類、器具、機器などへの照明器具１０'の取り付けおよび／または固定を容易にする１若しくはそれ以上の特徴を有することができる。その例として、照明器具１０'は１若しくはそれ以上のガイド１４０'を照明器具本体１００'上に有してもよく、前記ガイド１４０'は、照明器具１０'を、例えば人の頭部、帽子、ヘルメット、または別の対象に保持するためのバンド１４６ｂまたはストラップ１４６ｂまたはクリップ１４６ｃまたはファスナー１４６または他の取り付け装置１４６を設けることのできる表面１４２'または凹部１４４'を画成する。ガイド１４０'は、図示したように平行で一段高くしたリッジ１４２'にしても、または別の利便性が高い形状にしてもよい。スリップオン式またはスナップオン式クリップであって、その一部がガイド１４０'間に配置されるものを設けることもでき、そのようなクリップは、照明器具１０'上の複数の位置に、例えば右側または左側から配置され、および／または照明器具１０'の正面または背面に配置される。照明器具１０'を帽子またはヘルメットに取り付けることが望ましい場合は、ゴムまたは他の伸縮性バンドを前記帽子またはヘルメットの周囲に配置し、照明器具１０'を前記バンドと前記ヘルメットとの間に配置してガイド１４２'間の凹部１４４'内に前記バンドを配置するようにできる。ファスナー、例えばベルクロ（登録商標）材料などのフック・アンド・ループ・ファスナーを使用する場合は、当該ファスナーのループ側または当該ファスナーのフック側のピース（一片）がガイド１４０'間の表面１４２'に接着剤などで取り付けられる。
【００２６】
図４Ｄの照明器具１０において、各前記対向して離間された延出部または突出部１２０'の内側端部は、湾曲したカバー１２０'ｃを含み、このカバー１２０'ｃは、前記光源ＬＥＤ  ２３０へ向かって延長し、レンズ２４０ａおよび２４０ｂを部分的に覆ってレンズ２４０ａおよび２４０ｂを保護し、また当該レンズの美観を保つ。それ以外の場合、照明器具１０'は説明したとおりである。レンズ２４０ａおよび２４０ｂの内側端部は、カバー１２０'ｃの端部を越えて露出し、それぞれ、円筒形の照明器具ヘッド２００、２１０から径方向に離れる方向に延出して露出したリッジまたはタブ２４２ａ、２４２ｂを含むことが好ましく、これにより円筒形部材２１０上でレンズ２４０ａおよび２４０ｂをスライドさせて光源２３０を覆う位置へレンズ２４０ａおよび２４０ｂを動かしやすくなる。レンズ２４０ａおよび２４０ｂは管状であるか、または少なくとも管の一部を備え、円筒形部材２１０を取り囲むことが好ましいため、円筒形部材２１０上でスライド自在であり、円筒形部材２１０はレンズ２４０ａおよび２４０ｂ内で回転自在である。そのため、例えばノブ２２０を使った円筒形部材２１０の回転は、レンズ２４０ａおよび２４０ｂに制限されず、レンズ２４０ａおよび２４０ｂは、単にその内部で部材２１０が必要に応じて望ましい回転位置へ回転できるようにする。
【００２７】
図５は、照明器具１０"のさらに別の実施形態例の斜視図であり、図６Ａ、６Ｂ、６Ｃは、それぞれその上面、底面、および端部の図である。照明器具１０"は、略矩形の照明器具本体１００"、ならびに当該本体上、例えば照明器具本体１００"の広い表面上の照明器具ヘッド２００を含む。照明器具本体１００"は略矩形のハウジング１１０"を含み、このハウジング１１０"は、本体ハウジング基部１１２"およびそのカバー１１４"を含む。照明器具本体１００"の内部は、照明器具１０"に供電する電池を受容する略矩形の空洞になっており、その電池は、略角形の形状を有する電池、例えば携帯電話または同様な携帯用電子装置に利用されるタイプの電池、または前記空洞内に嵌合する１つまたは複数の別の電池であることが好ましい。ハウジング１１０"は、一対の対向する延出部または突出部１２０"を有し、この延出部または突出部１２０"はハウジング１１０"の広い表面から延出し、当該延出部または突出部１２０"間で略円筒形の照明器具ヘッド２００を受容する。照明器具ヘッド２００は、その長手方向の軸を中心に回転できることが好ましく、照明器具ヘッド２００を便利に回転させるため、１つのノブ２２０または複数のノブ２２０を設けることができる。
【００２８】
照明器具ヘッド２００は略円筒形で、略円筒形部材２１０を含み、この略円筒形部材２１０は、通常円錐形または他の適切な形状の凹部２１２である反射体２１６を内部に有し、あるいは凹部２１２内に反射体２１６を有する。光源２３０は、発光ダイオード（ＬＥＤ）２３０であることが好ましく、反射体２１６内に位置し、ＬＥＤ  ２３０の前にあるレンズ２１４で覆われる。照明器具２００は本明細書で説明するとおりである。
【００２９】
任意選択で、照明器具ヘッド２００には、本明細書で説明したように、円筒形部材２１０上でスライド自在な１若しくはそれ以上の管状の円筒形レンズ２４０またはフィルター２４０、２４０ａ、２４０ｂをさらに含めることができる。照明器具１０"が充電式であること、例えばその内部の電池が充電式であることが望ましい場合は、任意選択的なキャップまたはプラグを伴う若しくは伴わないハウジング１１０"に充電コネクタ１３０を内設でき、これらはすべて本明細書で説明したとおりである。
【００３０】
図７は、前記照明器具１０'の例の底面図であり、図７Ａおよび７Ｂは、それぞれ前記照明器具１０'の前記照明器具ヘッド２００を横切る断面図、ならびに前記照明器具１０'の前記照明器具ヘッド２００の長手方向の断面図であり、図７Ｃは、種々の取り付け装置１４６を例示した図である。ハウジング１１０'の内部には、照明器具１０、１０'、１０"を動作させる電子回路３００がある。回路３００は電池３１０および電子回路基板３２０を含み、電子回路基板３２０は、スイッチ２５０の動作に応答して光源２３０に制御可能に通電する電池３１０および光源２３０を接続する電子回路を含む。電池３１０は略角形の形状で、基部１１２、１１２'、１１２"の壁により画成される照明器具ハウジング１１０、１１０'、１１０"内の略矩形の空洞中に常に配置される。電池３１０の端子は、照明器具ヘッド２００に近接する端部の位置に常にあり、回路基板３２０の接点への電気接続を生じ、前記接点は、通常、回路基板３２０から延出するバネ式の金属接点である。ＵＳＢポートコネクタ１３０は、ハウジング１１０、１１０'、１１０"の、回路基板３２０と接続する端部と同じ端部内に設けられる。
【００３１】
照明器具ヘッド２００の断面図に見られるように、金属製の略円筒形部材２１０は、その円筒形表面に、反射体２１６を画成する凹部２１２を有し、その底端が光源３２０、例えばＬＥＤ  ３２０になっている。ＬＥＤ  ３２０は、凹部２１２の平底に位置する回路基板２３２上に設けられることが好ましい。ＬＥＤ回路基板２３２は、ＬＥＤ  ２３０のヒートシンクとして作用する円筒形部材２１０に熱伝導性連結部を提供するよう熱伝導性であることが好ましい。レンズ２１４は、光源２３０の正面で通常光源２３０を覆う反射体２１６を画成する前記凹部２１２に内設できる。反射体２１６および／またはレンズ２１４は、望ましい特徴または形状の光線、例えばスポットビームまたは投光照明（フラッドライト）光線またはその間に位置付けられる光線を提供するよう成形することができる。
【００３２】
円筒形部材２１０は、電線および／または伝導体用に長手方向の孔部を内部に有することが好ましい。回路基板３２０と光源２３０間の電気接続は電線および伝導体を通じてもたらすことができ、１若しくはそれ以上のスリップリング、同軸状の回転自在な伝導体などを含めることができる。電気接続が、例えばワイヤーにより行われる場合、照明器具ヘッド２００は、照明器具本体１００に対して３６０°未満、例えば約１８０°にわたり回転自在にでき、前記電気接続が、例えばスリップリングまたは同軸状の回転自在な伝導体により行われる場合、照明器具ヘッド２００は、照明器具本体１００に対し３６０°を超えて回転自在にできる。スイッチ２５０と回路基板３２０間の電気接続は電線および伝導体を通じてもたらすことができ、１若しくはそれ以上のスリップリング、同軸状の回転自在な伝導体などを含めることができる。一実施形態では、１若しくはそれ以上のバネ金属接点がそのまま円筒形部材２１０上の１若しくはそれ以上の各円形接点に抗して接触することにより、１若しくはそれ以上のスリップリングを画成し、接触リングに抗したバネ接点のスライドは、接続部をクリーニングする傾向がある。
【００３３】
円筒形部材２１０は、本体の延出部または突出部１２０、１２０'、１２０"内に回転自在に取り付けられ、延出部または突出部１２０、１２０'、１２０"が実質的にベアリング、例えば部材２１０の対向する端部でスリーブベアリングを提供する。部材２１０は、部材２１０の端部の一方または双方に設けられるノブ２２０を回して回転させることができ、これにより照明器具本体１００、１００'、１００"に対し約１８０°の角度範囲にわたり、光源２３０で生成された光を方向付けることができる。円筒形部材２１０は、延出部または突出部１２０、１２０'、１２０"のベアリング内で自由に回転でき、または摩擦により、デテントにより、停止部材により、または別の抑制形状により動きを抑制できる。ノブ２２０の背面には凹部を設けることができ、その凹部に対し、円筒形部材２１０の軸方向の延出部が相補的に加圧されて、摩擦、相補的な一段高い形状および陥凹した形状、接着剤、または他の適切な手段により固定される。
【００３４】
図７Ｃは、照明器具１０、１０'、１０"を人、衣類、または物体に取り付けるため、照明器具１０、１０'、１０"の照明器具本体１００、１００'、１００"に取り付けられる種々の取り付け装置１４６を例示したものである。ストラップまたはバンド１４６ｂの例は、通常、伸縮性材料、例えばゴムまたは伸縮性プラスチックをサイズ調整して、照明器具１０、１０'、１０"の取り付け対象、例えば帽子、ヘルメット、および／または頭部を取り囲むようにしたもののループ、あるいは比較的非伸縮性の材料、例えば織りのストリップのループで、ループの長さを調整するバックルまたは他の長さ調整装置を有し、これにより照明器具１０、１０'、１０"の取り付け対象、例えば帽子、ヘルメット、および／または頭部を取り囲むようサイズ調整されるループを有する。
【００３５】
クリップ１４６ｃの例は、通常、比較的剛性の材料、例えば鋼または他の金属でできた折り畳み構造を有し、その場合、折り畳まれた部分の１つは、照明器具本体１００、１００'、１００"の上部および底部の広い表面に抗してこれを受容することで、照明器具本体１００、１００'、１００"にクリップ式に取り付けられるようサイズ調整および離間され、別の折り畳まれた部分は、サイズ調整され、比較的近接して離間されてベルト、衣類、または他の対象物にクリップ式に取り付けられる。後者の部分は、ヘッド付きの支柱（ポスト）または他の取り付け構造に取り付けるための鍵穴または他の形状の開孔を有することができる。そのような構造の一例は、２００９年９月１日付で交付された米国特許第７，５８１，８４７号「ＣＬＩＰ−ＯＮ，  ＣＬＩＰ  ＯＦＦ  ＭＯＵＮＴＩＮＧ  ＤＥＶＩＣＥ，  ＡＳ  ＦＯＲ  Ａ  ＰＯＲＴＡＢＬＥ  ＬＩＧＨＴ」（携帯用照明器具のためのクリップオン、クリップオフ取り付け用装置）に説明されており、この参照によりその全体が本明細書に組み込まれる。
【００３６】
ファスナー１４６の例としては、分離可能なファスナー１４６ｆ、例えばフック・アンド・ループまたは同様なファスナー１４６ｆ、例えばベルクロ（登録商標）ファスナーなどがあり、その片側を、例えば接着剤で照明器具本体１００、１００'、１００"に取り付け、反対側を、例えば接着剤、縫製または他の適切な手段で、照明器具１０、１０'、１０"を着脱可能に取り付ける人または対象物に取り付けることができる。
【００３７】
図８は、図３の照明器具１０'の例と同様な照明器具１０"'の一実施形態例の斜視図である。照明器具１０"'は略矩形の照明器具本体１００"'および照明器具ヘッド２００を含み、照明器具ヘッド２００は円筒形部材２１０を含み、円筒形部材２１０はその端部において、本体ハウジング１１０"'の延出部または突出部１２０"'により支持され、本体ハウジング１１０"'はハウジング基部１１２"'を有し、ハウジング基部１１２"'から延出部または突出部１２０"'およびハウジングカバー１１４"'が延出する。照明器具２００は説明したとおりである。
【００３８】
照明器具ヘッド２００には、上記のようにスライド自在なレンズまたはフィルター２４０ａ、２４０ｂを含めることができるが、照明器具１０"'において、レンズまたはフィルター２４０ａおよび／または２４０ｂは、延出部または突出部１２０"'の外側端部に取り付けられる任意選択的なカバー１２０"'ｃで覆われる。照明器具本体１００"'は、照明器具１０"'を人または対象物に取り付けるバンド１４６ｂまたはクリップ１４６ｃあるいは他の部材または取り付け装置１４６を位置付けるためのリッジ１４０"'または同様な形状を有することができる。
【００３９】
照明器具１０"'の本体１００"'の端部には、スイッチアクチュエータ２５０、例えば柔軟な部材が含まれ、これを押すと、本体１００"'内部の電気スイッチが作動される。スイッチアクチュエータ２５０は、アクチュエータ２５０が屈曲して自らにかかった押圧力を内部の電気スイッチに伝達できるようにするゴム、プラスチック、または他の材料で作製できる。角付近のＵＳＢコネクタ１３０は、水蒸気、水、土、および他の望ましくない物質がハウジング１１０"'に進入することを防ぐカバー１３０ｃを有することが好ましく、カバー１３０ｃは、細いループまたはランヤードにより照明器具本体１００"'に繋留された状態に保つことができる。カバー１３０ｃは、望ましい柔軟性と、コネクタ１３０開口部のシーリング（密閉）とをもたらすゴム、プラスチック、または他の材料で作製できる。
【００４０】
図８Ａは、図８の照明器具１０'の例でハウジング基部１１２'を取り外した状態の斜視図であり、図８Ｂは、それを裏返し、前記ハウジング基部１１２'、ハウジングカバー１１４'、および照明器具ヘッド２００を取り外して照明器具１０'の内部構成が見えるようにした状態の斜視図である。照明器具ヘッド２００は、凹部を内部に有する円筒形部材２１０を含むよう示されており、前記凹部内には光源２３０、例えばＬＥＤ  ２３０が設けられ、部材２１０がそのヒートシンクとなる。円筒形部材２１０の一端にあるノブ２２０は、円筒形部材２１０をその長手方向の軸を中心として回転させる便利な形状を提供する。１つまたは２つの任意選択的な管状レンズまたはフィルター２４０ａ、２４０ｂは、円筒形部材２１０上でスライド自在であり、部材２１０上の中央位置にスライドさせて、光源２３０により生じた光がフィルター２４０ａ、２４０ｂを通過するようにできる。任意選択で、レンズまたはフィルター２４０ａ、２４０ｂは、レンズまたはフィルター２４０ａ、２４０ｂのスライドをそれぞれ容易にするリッジまたは他の形状２４１ａ、２４１ｂを有することができる。
【００４１】
照明器具本体１００"'内の最大の要素は電池３１０であり、電池３１０は、角形に成形されたセル電池３１０、例えば携帯電話、スマートフォン、および同様な小型ハンドヘルド電子装置に一般に利用されるタイプのセル電池であってよく、カバー１１４"'によりハウジング基部１１２"'内に保持される。電池３１０は、通常、その幅狭の端部に２若しくはそれ以上の端子３１２を有し、これにより供電を行い、電池３１０が充電池である場合は受電も行う。
【００４２】
電池３１０は、ハウジングカバー１１４"'と、照明器具１０"'を制御する電子回路を支持する電子回路基板３２０との間に位置する。回路基板３２０に取り付けられたコネクタ３３０は、電池３１０の前記端子に接続して受電し、また電池３１０に供電して充電するため使用できる。コネクタ１３０、例えばＵＳＢまたはミニＵＳＢコネクタ１３０は、回路基板３２０に取り付けられ、電池３１０の外部充電源から受電するため使用できる。
【００４３】
回路基板３２０に取り付けられた電気スイッチ３５０は、その外向き側部上に、照明器具本体１００"'のスイッチアクチュエータ２５０の裏側（下）に配置されるアクチュエータ３５２を有することができ、これによりスイッチアクチュエータ２５０を押すと、スイッチアクチュエータ２５０が電気スイッチ３５０のアクチュエータ３５２を押して、スイッチ３５０により回路基板３２０上の制御回路を通じて光源２３０が制御される。前記スイッチアクチュエータ２５０は、例えばゴム、ゴム状、または柔軟なプラスチック材料でできた柔軟なカバーまたはシール（保護用の覆い）で、ハウジング１１０"'の一部、例えばハウジング基部１１０"'またはハウジングカバー１１０"'とともに成形したものあってよく、あるいは前記ハウジング１１０"'の一部の穴に固定されるカバーまたはシールであってよい。一般に、スイッチアクチュエータ２５０は、照明器具本体１００、１００'、１００"、１００"'の任意の便利な位置にあってよく、電気スイッチ３５０がスイッチアクチュエータ２５０の内側に適切に配置されている場合は、１より多くのスイッチアクチュエータ２５０を設けてもよい。
【００４４】
電子回路３００は、照明器具１０、１０'、１０"、１０"'の望ましい機能を提供するいかなる電子回路であってもよい。使用できる適切な電子回路の例は、例えば、米国特許第７，８８３，２４３号「ＬＥＤ  ＦＬＡＳＨＬＩＧＨＴ  ＡＮＤ  ＨＥＡＴ  ＳＩＮＫ  ＡＲＲＡＮＧＥＭＥＮＴ」（ＬＥＤ懐中電灯およびヒートシンク装置）、米国特許第７，６７４，００３号「ＦＬＡＳＨＬＩＧＨＴ  ＨＡＶＩＮＧ  ＰＬＵＲＡＬ  ＳＷＩＴＣＨＥＳ  ＡＮＤ  Ａ  ＣＯＮＴＲＯＬＬＥＲ」（複数のスイッチおよびコントローラを有する懐中電灯）、米国特許第７，４６６，０８２号「ＥＬＥＣＴＲＯＮＩＣ  ＣＩＲＣＵＩＴ  ＲＥＤＵＣＩＮＧ  ＡＮＤ  ＢＯＯＳＴＩＮＧ  ＶＯＬＴＡＧＥ  ＦＯＲ  ＣＯＮＴＲＯＬＬＩＮＧ  ＬＥＤ  ＣＵＲＲＥＮＴ」（電圧を降下および上昇させてＬＥＤ電流を制御する電子回路）、および／または２０１１年３月１７日付で出願された米国特許出願第１３／０５０，４９８号「ＬＩＧＨＴ  ＨＡＶＩＮＧ  Ａ  ＣＯＭＰＡＲＴＭＥＮＴ  ＡＣＣＯＭＭＯＤＡＴＩＮＧ  ＢＡＴＴＥＲＩＥＳ  ＯＦ  ＤＩＦＦＥＲＥＮＴ  ＳＩＺＥＳ，  ＳＨＡＰＥＳ  ＡＮＤ／ＯＲ  ＴＹＰＥＳ」（異なるサイズ、形状、および／またはタイプの電池を収容する区画を有する照明器具）であって、現在は米国特許公開第２０１２／＿＿＿＿号に見られ、それぞれ任意およびすべての目的でこの参照によりその全体が本明細書に組み込まれる。
【００４５】
図９は、図４の前記照明器具１０'の例と同様な照明器具１０'の一例の斜視図であり、図９Ａはその照明器具１０'の前記ハウジング部分１１２'を取り外した状態の斜視図であり、図９Ｂはその照明器具１０'の前記ハウジング部分１１２'およびレンズ２４０要素を取り外した状態の斜視図である。外側についていえば、照明器具１０'は各前記対向して離間された延出部または突出部１２０'の内側端部が、湾曲したカバー１２０'ｃを含み、このカバー１２０'ｃが前記光源ＬＥＤ  ２３０へ向かって延長し、レンズ２４０ａおよび２４０ｂを部分的に覆って、例えばレンズ２４０ａおよび２４０ｂを保護し、また当該レンズの美観を保つ点で、図４の照明器具と異なる。それ以外の場合、照明器具１０'は説明したとおりである。レンズ２４０ａおよび２４０ｂの内側端部は、カバー１２０'ｃの端部を越えて露出し、それぞれ、円筒形の照明器具ヘッド２００、２１０から径方向に離れる方向に延出して露出した各リッジまたはタブ２４２ａ、２４２ｂを含むことが好ましく、これにより円筒形部材２１０上でレンズ２４０ａおよび２４０ｂをスライドさせて光源２３０を覆う位置へレンズ２４０ａおよび２４０ｂを動かしやすくなる。レンズ２４０ａおよび２４０ｂは管状であるか、または少なくとも管の一部を備え、円筒形部材２１０を取り囲むことが好ましいため、円筒形部材２１０上でスライド自在であり、円筒形部材２１０はレンズ２４０ａおよび２４０ｂ内で回転自在である。そのため、例えばノブ２２０を使った円筒形部材２１０の回転は、レンズ２４０ａおよび２４０ｂに制限されず、レンズ２４０ａおよび２４０ｂは、単にその内部で部材２１０が必要に応じて望ましい回転位置へ回転できるようにする。
【００４６】
照明器具１０'が充電式の電源を利用する場合、照明器具本体１００'は、例えばハウジング部分１１２'または別の適切な位置に、電池充電コネクタ１３０、例えばミニＵＳＢコネクタまたは他の適切な電気コネクタを収容する一段高い部分１１３'を有することができる。コネクタ１３０は、照明器具本体１００'内部の電池３１０、３１０'を充電するため外部の電源に接続し、照明器具本体１００'内部の充電池３１０、３１０'を充電するため、および／または照明器具１０'がコネクタ１３０を通じて外部電源に接続されている場合は照明器具１０'に給電するため内部の電子回路３００に接続する。
【００４７】
照明器具１０'の照明器具本体１００'の内部には、略矩形の基部２６４を含む支持部材２６０があり、前記基部２６４は、その対向する端部に半円筒形のレセプタクル２６２を有する。レセプタクル２６２は、その上でスライド自在なレンズ２４０ａ、２４０ｂの形状に全体として適合する外形を有し、円筒形表面の少なくとも一部を提供する内部形状を有しており、それに隣接して円筒形部材２１０の円筒形端部が回転できるようになっている。ノブ２２０が位置する円筒形部材２１０の端部において、この支持レセプタクル２６２は、通常、その略円形の端部に開孔を有し、その開孔を通じて、円筒形部材２２０の端部に係合するよう前記ノブ２２０のシャフト２２２が設けられる。支持部材２６０は、照明器具ハウジング部分１１２'が照明器具ハウジング部分１１４'に嵌合して照明器具ハウジング部分１１０'を画成するとき、円筒形部材２１０および任意選択的なレンズ２４０ａ、２４０ｂを延出部または突出部１２０'および照明器具ハウジング部分１１２'内の望ましい位置に配置することが好ましい。
【００４８】
前記支持部材２６０の基部２６４は、回路基板３２０に隣接して設けられ、それと同様な形状およびサイズにできる。回路基板３２０は、１若しくはそれ以上の金属接点３４４を含む支持ブロック３４２を支持し、各金属接点３４４は円筒形部材２１０の１若しくはそれ以上の円形接触リング２４４に接触し、これらが併せて１若しくはそれ以上のスリップリング３４０を画成して照明器具１０'の円筒形部材２１０と回路基板３２０と電気回路３００の残りの部分との間の回転自在な継手全体にわたり、１若しくはそれ以上の電気接続部をもたらす。また、回路基板３２０は、１若しくはそれ以上の追加金属接点３５４を支持でき、それらの追加金属接点３５４は、円筒形部材２１０の各接触リング２５４に当接して１若しくはそれ以上の追加スリップリング３５０を画成し、照明器具１０'の円筒形部材２１０と回路基板３２０と電気回路３００の残りの部分との間の回転自在な継手全体にわたり、それぞれ電気接続部をもたらす。
【００４９】
照明器具本体１００'のハウジング１１０'は、ハウジング部品１１２'、１１４'を含み、これらのハウジング部品１１２'、１１４'は、電源３１０を受容する略矩形の内部空洞１１６'を画成する。前記電源は、例えば略角形の電池３１０を含むことができ、この電池３１０は、説明したとおり、または例えば特定の照明器具１０、１０'、１０"、１０"'が利用できる１若しくはそれ以上の円筒形電池３１０'を含んでよく、あるいは双方の形状およびサイズの電池を受容できる。ハウジング部分１１４'および／またはハウジング部分１１２'は、１若しくはそれ以上の位置決め形状１１８'を有することができ、それらの位置決め形状１１８'は、その内部で電池３１０および／または電池３１０'を位置決めする空洞１１６'内に延在する。位置決め形状１１８'は、例えば湾曲した縁部を有することができ、これに抗して空洞１１６'内で電池３１０'が隣接しあって配置され、または略角形の電池３１０を位置決めする他の縁部を有することができ、またはこれら双方を有することができ、その場合、空洞１１６'は略角形の電池３１０も複数の円筒形電池３１０'も受容するよう構成される。円筒形電池３１０'が利用される場合は、伝導体３１４、３１６、例えば金属導電ストリップ３１４、３１６を設けて電池３１０'を回路３００に直列接続でき、伝導体３１４、３１６は、照明器具本体１１０'の一部であっても、または電池アセンブリ３１０'の一部であってもよく、その場合は複数の円筒形電池が電池アセンブリ３１０'内で直列接続される。
【００５０】
照明器具本体１００'には、種々の形状の任意の１若しくはそれ以上の照明器具１０、１０"、１０"'を説明したように含めることができ、例えばスイッチまたはスイッチアクチュエータ２５０、充電コネクタ１３０、ガイド１４０'などは特定の照明器具に利便性が高く、または望ましい可能性がある。任意選択で、円筒形部材２１０は１若しくはそれ以上の溝を有することができ、それらの溝に、支持部材２６０に対するシールをもたらす各Ｏリング２１８が位置し、支持部材２６０は、その基部２６４の外周に、ハウジング部分１１２'に対するシールをもたらすＯリング２６８を含むことができる。
【００５１】
照明器具１０、１０'、１０"、１０"'の一般的な一実施形態例の１つにおいて、照明器具本体１００、１００'、１００"、１００"'は、約１．６×２．５インチ（約４．１×６．４ｃｍ）、厚さ約０．３８インチ（約１ｃｍ）で、その上の任意選択的なガイド１４０同士は、約１．０インチ（約２．５ｃｍ）離れている。その円筒形部材２１０は、直径約０．５インチ（約１．３ｃｍ）、露出した長さが約１．２５インチ（約３．２ｃｍ）、凹部２１２または反射体２１６の円錐角が約９０°であるが、これより大きくても小さくてもよい。スライド自在なレンズ２４０、２４０ａ、２４０ｂは、それぞれ長さ約０．４インチ（約１．０ｃｍ）で、部材２１０に沿った各々のスライドを補助する任意選択的な外周リッジを有することができる。回転自在な部材２１０の軸は、ハウジング１００、１００'、１００"、１００"'の表面より上約０．２８インチ（約７ｍｍ）にあるため、回転自在な部材２１０および任意選択的な１つまたは複数のレンズ２４０、２４０ａ、２４０ｂは照明器具本体１００、１００'、１００"、１００"'に隣接し、例えば約０．２０〜０．５０インチ（約０．５〜１．３ｍｍ）離間される。照明器具１０、１０'、１０"、１０"'が円筒形の電池、例えば単４形または単３形のニッケル金属水素化物（Ｎｉ−ＭＨ）電池３１０'を利用する場合、照明器具本体１００、１００'、１００"、１００"'は、それら電池の直径および／または長さに対応するためやや厚みおよび／または大きさを増すが、そのような照明器具本体１００、１００'、１００"、１００"'内の前記空洞１１６は、複数の円筒形電池またはそのアセンブリと交換可能に角形電池３１０を受容するよう構成できる。
【００５２】
照明器具１０、１０'、１０"、１０"'の一般的な実施形態では、ハウジング基部１１２、１１２'、１１２"、１１２"'およびカバー１１４、１１４'、１１４"、１１４"'を含む照明器具本体１００、１００'、１００"、１００"'は、プラスチック、例えばナイロン、ＡＢＳ、ポリカーボネート（ＰＣ）、またはこれらの混合物、例えばＰＣ／ＡＢＳ混合物とすることができ、レンズ２４０、２４０ａ、２４０ｂは、ポリカーボネート、ＰＭＭＡアクリル、または他の適切なプラスチックまたはガラスとすることができ、さらに部材２１０はアルミニウム、真ちゅう、銅、または他の適切な熱伝導性材料とできる。部材２１０は、凹部２１２、例えば通常ＬＥＤ回路基板２３２およびＬＥＤ  ２３０を受容する円錐角約９０°で平底の円錐形の凹部２１２を有することができ、または望ましい光線形状をもたらすよう成形された反射体２１６を、前記凹部２１２に内設し、または円筒形部材２１０の凹部２１２により画成することができる。ハウジング１１０、１１０'、１１０"、１１０"'は、超音波、化学または熱溶接、あるいは接着剤によりカバー１１４、１１４'、１１４"、１１４"'をハウジング１１２、１１２'、１１２"、１１２"'に永続的に取り付けることにより閉鎖でき、あるいはスナップオン式係合または着脱可能なファスナーなどによりカバー１１４、１１４'、１１４"、１１４"'を着脱可能にハウジング１１２、１１２'、１１２"、１１２"'に取り付けることができる。
【００５３】
通常、電池３１０、３１０'は、充電池、例えば多くの市販元から入手可能なプリズム角形リチウムイオン電池であってよく、または１若しくはそれ以上の円筒形電池、例えばアルカリ、リチウム、または他の単回使用電池またはニッケルカドミウム、ニッケル金属水素化物、またはリチウムイオンその他の充電池のうち、多くの市販元のほか、携帯電話、スマートフォン、ＭＰ３プレーヤー、および他の携帯電子装置の種々の製造元および供給元、および／またはそのための電池の供給元から入手可能なものであってよい。電子回路３００は説明したとおりのものでよく、スイッチ２５０、３５０はオン・オフスイッチ、例えば瞬時接触スイッチまたは「クリッカー」タイプのラッチオン・オフスイッチにでき、瞬時的にオン位置を有することができ、さらに回路基板３１０は、ＦＲ４または他の適切な材料のものにできる。コネクタ１３０は、携帯電話、スマートフォン、ＭＰ３プレーヤー、デジタルカメラ、および他の携帯電子装置で一般に利用されるタイプのＵＳＢまたはミニＵＳＢコネクタであってよく、コネクタ３３０は、携帯電話、スマートフォン、ＭＰ３プレーヤー、デジタルカメラ、および他の携帯電子装置で一般に利用されるタイプの電池コネクタであってよい。
【００５４】
携帯用照明器具１０、１０'、１０"、１０"'は、一対の対向する離間された延出部１２０、１２０'、１２０"、１２０"'を上部に有する略矩形の照明器具本体１００、１００'、１００"、１００"'であって、電源３１０を内部に受容する略矩形の空洞を有する、照明器具本体１００、１００'、１００"、１００"'と、前記照明器具本体１００、１００'、１００"、１００"'に隣接し、前記延出部１２０、１２０'、１２０"、１２０"'間で回転自在に支持された略円筒形の照明器具ヘッド２００であって、光を生じさせる光源２３０を含む、照明器具ヘッド２００と、前記光源２３０を選択的に作動させるスイッチ２５０とを有することができる。前記略円筒形の照明器具ヘッド２００は、前記照明器具本体１００、１００'、１００"、１００"'の端部に隣接して、または前記照明器具本体１００、１００'、１００"、１００"'の広い表面に隣接して、または前記照明器具本体１００、１００'、１００"、１００"'の広い表面に隣接して当該照明器具本体１００、１００'、１００"、１００"'の端部付近に設置できる。前記携帯用照明器具１０、１０'、１０"、１０"'において、前記略円筒形の照明器具ヘッド２００は、その軸を中心として回転自在であり、または当該略円筒形の照明器具ヘッド２００は、その端部に、当該略円筒形の照明器具ヘッド２００をその軸を中心として回転させるノブ２２０を含むことができ、または当該略円筒形の照明器具ヘッド２００は、その軸を中心として回転自在にでき、かつその端部に、当該略円筒形の照明器具ヘッド２００をその軸を中心として回転させるノブ２２０を含むことができる。前記円筒形の照明器具ヘッドは、３６０°未満回転自在であり、または３６０°を超えて回転自在である。前記略円筒形の照明器具ヘッド２００は、少なくとも１つの円形の電気接点２４４を含むことができ、前記照明器具本体１００、１００'、１００"、１００"'は、前記略円筒形の照明器具ヘッド２００の前記円形の電気接点２４４に隣接しそれとの間に少なくとも１つの電気スリップリング３４０接続部を提供する少なくとも１つの固定された電気接点３４４を含むことができる。前記略円筒形の照明器具ヘッド２００は、円筒形部材２１０と、その円筒形部材２１０に沿ってスライド自在な湾曲したレンズ２４０、２４０ａ、２４０ｂとを含むことができる。前記湾曲したレンズ２４０、２４０ａ、２４０ｂは、１若しくはそれ以上のスライド自在な湾曲したレンズ２４０、２４０ａ、２４０ｂを含むことができ、各々のスライド自在な湾曲したレンズ２４０、２４０ａ、２４０ｂは、前記円筒形部材２１０より短く、他のスライド自在な湾曲したレンズ２４０、２４０ａ、２４０ｂとは異なる光学特性を有する。前記湾曲したレンズ２４０、２４０ａ、２４０ｂは、前記円筒形部材２１０に隣接して閉じ込めることができ、あるいは１若しくはそれ以上のカラーフィルター、偏光フィルター、および／または拡散フィルターを含むことができ、あるいは１若しくはそれ以上のカラーフィルター、偏光フィルター、および／または拡散フィルターを含み、かつ前記円筒形部材２１０に隣接して閉じ込めることができる。前記略円筒形の照明器具ヘッド２００は、その内部に、凹部２１２を有する円筒形部材２１０を��むことができ、前記光源２３０は、前記円筒形部材２１０の前記凹部２１２内に発光ダイオード２３０を含むことができる。前記携帯用照明器具１０、１０'、１０"、１０"'は、さらに、前記円筒形部材２１０の前記凹部２１２内に、前記発光ダイオード２３０を覆うレンズ２１４を有することができる。前記携帯用照明器具１０、１０'、１０"、１０"'は、さらに、前記円筒形部材２１０の前記凹部２１２内の前記発光ダイオード２３０前の反射体２１６、または前記円筒形部材２１０の前記凹部２１２内の前記発光ダイオード２３０前のレンズ２１４、または前記円筒形部材２１０の前記凹部２１２内の前記発光ダイオード２３０前の反射体２１６およびレンズ２１４を有することができる。前記略円筒形の照明器具ヘッド２００は、円筒形部材２１０を含むことができ、当該円筒形部材２１０は、熱伝導性金属または熱伝導性非金属を有する。前記スイッチ２５０を作動できるのは、前記略円筒形の照明器具ヘッド２００の端部において、または前記略円筒形の照明器具ヘッド２００の端部のノブ２２０において、または前記略円筒形の照明器具ヘッド２００の、ノブ２２０を有する端部において、または前記略円筒形の照明器具ヘッド２００の、ノブ２２０を有する端部の反対側の端部において、または前記略矩形の照明器具本体１００、１００'、１００"、１００"'上で、または前記略矩形の照明器具本体１００、１００'、１００"、１００"'の縁部で、または以上のうち任意の２つにおいてである。前記スイッチ２５０、３５０は、前記照明器具本体１００、１００'、１００"、１００"'内の電子回路基板３２０上に設けられた電気スイッチ３５０を含むことができ、前記照明器具本体１００、１００'、１００"、１００"'上のスイッチアクチュエータ２５０により作動可能である。前記電源３１０、３１０'は、前記略矩形の照明器具本体１００、１００'、１００"、１００"'の前記略矩形の空洞１１６内の略矩形の電源３１０、または前記略矩形の照明器具本体１００、１００'、１００"、１００"'の前記略矩形の空洞１１６、１１６'内に複数の円筒形電源３１０'を並列配置で含む電源、または前記略矩形の照明器具本体１００、１００'、１００"、１００"'の前記略矩形の空洞１１６、１１６'内で交換可能な略矩形の電源３１０および複数の円筒形電源３１０'を含むことができる。前記携帯用照明器具１０、１０'、１０"、１０"'において、電池３１０は、前記照明器具本体１００、１００'、１００"、１００"'の前記空洞内の角形充電池３１０であってよく、当該前記携帯用照明器具１０、１０'、１０"、１０"'は、さらに、前記照明器具本体１００、１００'、１００"、１００"'上にあって、その内部の電池３１０に電気的に連結された、前記電池３１０を充電する充電コネクタ１３０、または前記照明器具本体１００、１００'、１００"、１００"'上にあって、その内部の電池３１０に電気的に連結された、前記電池３１０を充電するＵＳＢ互換充電コネクタ１３０を含むことができる。前記携帯用照明器具１０、１０'、１０"、１０"'は、さらに、前記スイッチ２５０に応答して前記光源２３０の動作を制御する電子回路を含む電子回路基板３２０を有することができる。前記電子回路基板３２０は、電源３１０が前記照明器具本体１００、１００'、１００"、１００"'内にある場合、電源３１０に電気接続するコネクタ３３０、または前記略矩形の電源３１０が前記照明器具本体１００、１００'、１００"、１００"'内の前記空洞内にある場合、外部電源に電気接続して前記略矩形の電源３１０を充電するコネクタ１３０、または電源３１０が前記照明器具本体１００、１００'、１００"、１００"'内にある場合、電源に電気接続する第１のコネクタ３３０ならびに前記略矩形の電源３１０が前記照明器具本体１００、１００'、１００"、１００"'内の前記空洞内にある場合、外部電源に電気接続して前記略矩形の電源３１０を充電する第２のコネクタ１３０を含むことができる。前記管状レンズ２４０、２４０ａ、２４０ｂは、円筒形部材２１０上に閉じ込めることができ、あるいは１若しくはそれ以上のカラーフィルター、偏光フィルター、および／または拡散フィルターを含むことができ、あるいは１若しくはそれ以上のカラーフィルター、偏光フィルター、および／または拡散フィルターを含むことができ、かつ円筒形部材２１０上に閉じ込めることができる。前記略円筒形の照明器具ヘッド２００は、円筒形部材２１０を含むことができ、当該円筒形部材２１０は、熱伝導性金属または熱伝導性非金属を有する。前記スイッチ２５０は、前記照明器具本体１００、１００'、１００"、１００"'内の電子回路基板３２０上に設けられた電気スイッチ３５０であってよく、本体１００、１００'、１００"、１００"'上のスイッチアクチュエータ２５０により作動できる。前記電子回路基板３２０は、電源３１０が照明器具本体１００、１００'、１００"、１００"'の前記空洞に内設されている場合、前記電源３１０に隣接して設けることができる。前記照明器具本体１００、１００'、１００"、１００"'は、取り付け装置１４６を上部に受容する形状１４０、１４０'を有することができ、前記携帯用照明器具１０、１０'、１０"、１０"'は、さらに、当該携帯用照明器具１０、１０'、１０"、１０"'を人および／または対象物に取り付ける取り付け装置１４６を有することができる。前記取り付け装置１４６は、バンド１４６ｂ、ストラップ１４６ｂ、クリップ１４６ｂ、スリップオン式クリップ１４６ｃ、スナップオン式クリップ１４６ｃ、フック・アンド・ループ・ファスナー１４６ｆ、またはファスナー１４６を有することができる。
【００５５】
携帯用照明器具１０、１０'、１０"、１０"'は、一対の対向する離間された延出部１２０、１２０'、１２０"、１２０"'を上部に有する略矩形の照明器具本体１００、１００'、１００"、１００"'であって、その内部に略角形の電池３１０を受容する空洞を有する、照明器具本体１００、１００'、１００"、１００"'と、前記照明器具本体１００、１００'、１００"、１００"'に隣接し、前記延出部１２０、１２０'、１２０"、１２０"'間で回転自在に支持された略円筒形の照明器具ヘッド２００と、前記略円筒形の照明器具ヘッド２００内の、光を生じさせる光源２３０と、前記略円筒形の照明器具ヘッド２００を回転させるノブ２２０であって、前記略円筒形の照明器具ヘッド２００は、前記光源２３０により生じた光が透過する少なくとも１つのレンズ２１４、２４０、２４０ａ、２４０ｂを含む、ノブ２２０と、前記光源２３０を選択的に作動させて光を生じさせるスイッチ２５０と、前記略矩形の照明器具本体１００、１００'、１００"、１００"'の空洞内の略角形の電池３１０であって、前記スイッチ２５０に応答して前記光源２３０に選択的に供電する略角形の電池３１０とを有することができる。前記略円筒形の照明器具ヘッド２００は、照明器具本体１００、１００'、１００"、１００"'の端部に隣接して、または照明器具本体１００、１００'、１００"、１００"'の広い表面に隣接して、または照明器具本体の広い表面に隣接して照明器具本体１００、１００'、１００"、１００"'の端部付近に設置できる。前記円筒形の照明器具ヘッド２００は、３６０°を超えて回転自在であり、略円筒形の照明器具ヘッド２１０は、少なくとも１つの円形の電気接点２４４を含み、 
照明器具本体１００、１００'、１００"、１００"'は、略円筒形の照明器具ヘッド２００の前記円形の電気接点２４４に隣接しそれとの間に少なくとも１つの電気スリップリング３４０接続部を提供する少なくとも１つの固定された電気接点３４４を含む。前記略円筒形の照明器具ヘッド２００は、円筒形部材２１０と、その円筒形部材２１０に沿ってスライド自在でそれに隣接して閉じ込められる湾曲したレンズ２４０、２４０ａ、２４０ｂとを含むことができる。前記湾曲したレンズ２４０、２４０ａ、２４０ｂは、１若しくはそれ以上のスライド自在な湾曲したレンズ２４０、２４０ａ、２４０ｂを含むことができ、各々のスライド自在な湾曲したレンズ２４０、２４０ａ、２４０ｂは、円筒形部材２１０より短く、他のスライド自在な湾曲したレンズ２４０、２４０ａ、２４０ｂとは異なる光学特性を有する。前記湾曲したレンズ２４０、２４０ａ、２４０ｂは、１若しくはそれ以上のカラーフィルター、偏光フィルター、および／または拡散フィルターを含むことができる。前記電源３１０、３１０'は、充電池３１０、３１０'を含むことができ、携帯用照明器具１０、１０'、１０"、１０"'は、さらに、照明器具本体１００、１００'、１００"、１００"'上にあって、前記充電池３１０、３１０'に電気的に連結された、前記充電池を充電する充電コネクタ１３０、または照明器具本体１００、１００'、１００"、１００"'上にあって、前記充電池３１０、３１０'に電気的に連結された、前記充電池を充電するＵＳＢ互換充電コネクタ１３０を含むことができる。スイッチ２５０は、略矩形の照明器具本体１００、１００'、１００"、１００"'上のスイッチアクチュエータ２５０と、照明器具本体１００、１００'、１００"、１００"'内の電子回路基板３２０上にあって、スイッチアクチュエータ２５０により作動可能な電気スイッチ３５０とを有することができる。照明器具本体１００、１００'、１００"、１００"'は、取り付け装置１４６を上部に受容する形状１４０、１４０'を有することができ、携帯用照明器具１０、１０'、１０"、１０"'は、さらに、携帯用照明器具１００、１００'、１００"、１００"'を人に、および／または対象物に取り付ける取り付け装置１４６を有する。
【００５６】
携帯用照明器具１０、１０'、１０"、１０"'は、一対の対向する離間された延出部１２０、１２０'、１２０"、１２０"'を上部に有する略矩形の照明器具本体１００、１００'、１００"、１００"'であって、電源を内部に受容する略矩形の空洞を有する、照明器具本体１００、１００'、１００"、１００"'と、光源２３０を選択的に作動させるスイッチ２５０と、前記略矩形の照明器具本体１００、１００'、１００"、１００"'内で電気接点を提供する複数の導電体であって、前記電気接点は、略角形の電池３１０または複数の円筒形電池３１０'を交換可能に受容するよう構成される、複数の導電体と、照明器具本体１００、１００'、１００"、１００"'の前記略矩形の空洞内の電源３１０、３１０'であって、前記電気接点に接続する端子を有する略角形の電池３１０と、前記電気接点に接続する端子を有する複数の円筒形電池３１０'とを交換可能に含む、電源３１０、３１０'とを有することができる。前記略円筒形の照明器具ヘッド２００は、照明器具本体１００、１００'、１００"、１００"'の端部に隣接して、または照明器具本体１００、１００'、１００"、１００"'の広い表面に隣接して、または照明器具本体の広い表面に隣接して照明器具本体１００、１００'、１００"、１００"'の端部付近に設置できる。前記円筒形の照明器具ヘッド２００は、３６０°を超えて回転自在であり、略円筒形の照明器具ヘッド２１０は、少なくとも１つの円形の電気接点２４４を含み、照明器具本体１００、１００'、１００"、１００"'は、略円筒形の照明器具ヘッド２００の前記円形の電気接点２４４に隣接しそれとの間に少なくとも１つの電気スリップリング３４０接続部を提供する少なくとも１つの固定された電気接点３４４を含む。前記略円筒形の照明器具ヘッド２００は、円筒形部材２１０と、その円筒形部材２１０に沿ってスライド自在でそれに隣接して閉じ込められる湾曲したレンズ２４０、２４０ａ、２４０ｂとを含むことができる。前記湾曲したレンズ２４０、２４０ａ、２４０ｂは、１若しくはそれ以上のスライド自在な湾曲したレンズ２４０、２４０ａ、２４０ｂを含むことができ、各々のスライド自在な湾曲したレンズ２４０、２４０ａ、２４０ｂは、円筒形部材２１０より短く、他のスライド自在な湾曲したレンズ２４０、２４０ａ、２４０ｂとは異なる光学特性を有する。前記湾曲したレンズ２４０、２４０ａ、２４０ｂは、１若しくはそれ以上のカラーフィルター、偏光フィルター、および／または拡散フィルターを含むことができる。前記電源３１０、３１０'は、充電池３１０、３１０'を含むことができ、携帯用照明器具１０、１０'、１０"、１０"'は、さらに、照明器具本体１００、１００'、１００"、１００"'上にあって、前記充電池３１０、３１０'に電気的に連結された、前記充電池を充電する充電コネクタ１３０、または照明器具本体１００、１００'、１００"、１００"'上にあって、前記充電池３１０、３１０'に電気的に連結された、前記充電池を充電するＵＳＢ互換充電コネクタ１３０を含むことができる。スイッチ２５０は、略矩形の照明器具本体１００、１００'、１００"、１００"'上のスイッチアクチュエータ２５０と、照明器具本体１００、１００'、１００"、１００"'内の電子回路基板３２０上��あって、スイッチアクチュエータ２５０により作動可能な電気スイッチ３５０とを有することができる。照明器具本体１００、１００'、１００"、１００"'は、取り付け装置１４６を上部に受容する形状１４０、１４０'を有することができ、携帯用照明器具１０、１０'、１０"、１０"'は、さらに、携帯用照明器具１００、１００'、１００"、１００"'を人に、および／または対象物に取り付ける取り付け装置１４６を有する。
【００５７】
本明細書における用語「約」は、寸法、サイズ、配合、パラメータ、形状その他の数量および特徴が厳密でなく、かつ厳密である必要もなく、必要に応じ、許容誤差、換算係数、丸め、測定誤差など、および当業者に知られている他の要因を反映したおおよそのもの、および／または比較的大きく若しくは小さいものであってよいことを意味する。一般に、寸法、サイズ、配合、パラメータ、形状その他の数量または特徴は、明示的に記載しているかどうかにかかわらず、「約」または「おおよそ」のものである。なお、互いにサイズ、形状、および寸法が非常に異なる実施形態は、説明された構成を使用している場合がある。
【００５８】
例えば、用語「上」、「下」、「左」、「右」、「前部」、「後部」、「側部」、「頂部」、「底部」、「前方」、「後方」、「下方」、および／または「上方」などは、本明細書において本構成の１若しくはそれ以上の実施形態および／または使用を説明する上で便宜的に使用される可能性があるが、説明された物品は、望ましい任意の配向で配置でき、および／または望ましい任意の位置および／または配向で利用できる。位置および／または配向に関するこのような用語は、単に便宜的なものであり、特許請求の範囲に記載された本発明を限定するものではないと理解すべきである。
【００５９】
さらに、「最適」または「最適と考えられる」と記載されたものは真に最適な条件である場合もそうでない場合もあり、当該設計者により選択されたことに基づき、および／または適用可能な制御関数により定義された決定規則および／または基準に基づき、望ましい、または許容範囲内で「最適」と考えられる条件であって、例えば、前記矩形ハウジング１００、１００'、１００"、１００"'の同様にサイズ調整された矩形の電池用空洞内に角形電池３１０を配置する場合は、特に、薄く平面的な電子回路基板３２０上に外形の低い電子部品を搭載して電池３１０に隣接して配置するとき、前記ハウジング１００、１００'、１００"、１００"'の容積の少なくとも略最適な利用につながる。
【００６０】
用語「電池」は、本明細書において、１若しくはそれ以上の電気化学セルおよび／または燃料セルを有する電気化学的装置を指すため、電池は、個々のユニットであるか、パッケージ化したユニットであるかにかかわらず、単一のセルまたは複数のセルを含んでよい。電池は、携帯装置に適した電源のタイプの一例である。
【００６１】
以上、前述の諸実施形態を例にとり本発明を説明したが、当業者であれば、以下の請求項により定義される本発明の要旨を逸脱しない範囲で、変形形態が明確に理解されるであろう。例えば、照明器具ヘッド２００は、必要に応じて照明器具本体１００、１００'、１００"、１００"'の任意の位置に配置でき、種々の特徴、例えばコネクタ１３０またはスイッチアクチュエータ２５０は、照明器具１０、１０'、１０"、１０"'内部の電子回路との連動用に必要であり、または便利な可能性がある。
【００６２】
スイッチアクチュエータ２５０は、照明器具１０、１０'、１０"、１０"'の任意の便利な位置、例えば照明器具１０、１０'、１０"、１０"'のノブ２２０上、円筒形部材の遠位側ノブ２２０の端部、または照明器具１０、１０'、１０"、１０"'の任意の便利な表面上に、照明器具１０、１０'、１０"、１０"'に内設された電子回路３００を制御する便宜に応じて配置できる。スイッチまたはアクチュエータ２５０の代替位置の１つは、前記照明器具本体１００、１００'、１００"、１００"'の比較的大きく広い表面上で、これは照明器具本体１００、１００'、１００"、１００"'が水平面上に配置される場合、「上部」と考えられる。
【００６３】
レンズ２４０、２４０ａ、２４０ｂは円筒形部材２１０に隣接し、その部材２１０上でレンズ２１４およびＬＥＤ  ２３０の正面の位置へスライドしてそこから発せられる光をフィルターできるようスライドする。レンズ２４０、２４０ａ、２４０ｂは管状（例えば、円筒形）で円筒形部材２１０を取り囲むようにでき、または円筒形部材２１０の露出部分、例えば照明器具１０、１０'、１０"、１０"'の外から見える部分の正面で動かすことができるよう円筒形または管の一部、例えば半円筒形またはＵ字状にできる。レンズ２４０、２４０ａ、２４０ｂは、リブ、溝、リッジ、またはタブ２４０、２４０ａ、２４０ｂまたは他の形状を有することができ、これに抗して利用者の指または爪あるいは器具が配置され、円筒形部材２１０上でレンズ２４０、２４０ａ、２４０ｂを１つの位置から別の位置にスライドさせる際に役立つ。
【００６４】
任意選択的なガイド１４０'は、図示したように平行で一段高くした形状にしても、または別の形状および／またはサイズ、例えば一段高くした支柱または陥凹させた凹部にしてもよい。ガイド１４０'は、照明器具１０、１０'、１０"、１０"'のいずれかのいずれか１つ若しくはそれ以上の表面上、例えば比較的広い正面または背面上または比較的狭い端部または側面上に、便宜または必要に応じて、例えばバンド１４６ｂ、ストラップ１４６ｂ、クリップ１４６ｃ、スリップオン式クリップ１４６ｃ、スナップオン式クリップ１４６ｃ、フック・アンド・ループ・ファスナー１４６ｆ、あるいは別のファスナー１４６または取り付け装置１４６を受容するため配置できる。
【００６５】
照明器具１０、１０'、１０"、１０"'が角形電池３１０および円筒形電池３１０'を交換可能に受容するよう構成される場合、照明器具本体１００、１００'、１００"、１００"'の空洞１１６、１１６'は、空洞１１６、１１６'内の各スペース構成を定義する種々の固定された、および／または弾性の突出部１１８を含むことにより、その内部に利用者が配置するいずれの電池も受容することができる。そのような場合、空洞１１６、１１６'は、その内部に受容されるよう意図された１つおよび／または複数の前記電池３１０、３１０'の前記端子３１２に接続する電気接点３３０を含むこともできる。
【００６６】
本明細書において特定された米国仮特許出願、米国特許出願、および／または米国特許の各々は、任意の目的およびすべての目的で、本明細書でどのように参照されるかにかかわらず、参照によりその全体が本明細書に組み込まれる。
【００６７】
最後に、記載した数値は一般的または例示的な値であって限定を意図した値ではなく、これらより実質的に大きく、および／または実質的に小さい値を除外するものではない。所与の全実施形態における値は、記載した例示的または一般的な値より実質的に大きく、および／または実質的に小さくてもよい。
【図１】
2013535794.tif 000003
【図２Ａ】
2013535794.tif 000004
【図２Ｂ】
2013535794.tif 000005
【図２Ｃ】
2013535794.tif 000006
【図２Ｄ】
2013535794.tif 000007
【図３】
2013535794.tif 000008
【図４Ａ】
2013535794.tif 000009
【図４Ｂ】
2013535794.tif 000010
【図４Ｃ】
2013535794.tif 000011
【図４Ｄ】
2013535794.tif 000012
【図５】
2013535794.tif 000013
【図６Ａ】
2013535794.tif 000014
【図６Ｂ】
2013535794.tif 000015
【図６Ｃ】
2013535794.tif 000016
【図７】
2013535794.tif 000017
【図７Ａ】
2013535794.tif 000018
【図７Ｂ】
2013535794.tif 000019
【図７Ｃ】
2013535794.tif 000020
【図８】
2013535794.tif 000021
【図８Ａ】
2013535794.tif 000022
【図８Ｂ】
2013535794.tif 000023
【図９】
2013535794.tif 000024
【図９Ａ】
2013535794.tif 000025
【図９Ｂ】
2013535794.tif 000026
【国際調査報告】
2013535794.tif 000027